【手続補正書】
【提出日】平成18年6月12日(2006.6.12)
【手続補正１】
【補正対象書類名】明細書
【補正対象項目名】特許請求の範囲
【補正方法】変更
【補正の内容】
【特許請求の範囲】
【請求項１】  コンテンツ情報のパケットと共に制御情報のパケットが単一のストリームで入力される信号処理装置であって、
前記ストリーム中の前記制御情報のパケットから前記ストリームの属性情報を検出する手段と、
前記検出された属性情報と予め設定された情報との一致を判別する手段と、
前記設定された情報との一致が判別されたときに、任意の他の設定に従って、前記制御情報のパケットの置き換え若しくは削除を行う手段と
を備えることを特徴とする信号処理装置。
【請求項２】  請求項１記載の信号処理装置において、
前記制御情報のパケットの置き換え若しくは削除を行う手段は、前記予め設定された情報との一致が判別され、且つ前記任意の他の設定に置き換えの設定がされていたときに、予め記憶手段に記憶された任意のパケットを前記ストリームの入力された転送レートと等しい転送レートで出力して前記ストリーム中の前記制御情報のパケットと置き換える処理を行う
ことを特徴とする信号処理装置。
【請求項３】  請求項２記載の信号処理装置において、
前記制御情報のパケットの置き換え若しくは削除を行う手段は、複数の前記予め設定された情報が設けられると共に、一の前記予め設定された情報に対しては１回のみの処理を行うものとする
ことを特徴とする信号処理装置。
【請求項４】  請求項２記載の信号処理装置において、
前記制御情報のパケットの置き換え若しくは削除を行う手段は、複数の前記任意のパケットを有すると共に、任意の優先順位に従って前記任意のパケットを出力して前記置き換えの処理を行う
ことを特徴とする信号処理装置。
【請求項５】  請求項１記載の信号処理装置において、
前記制御情報のパケットの置き換え若しくは削除を行う手段は、複製可の前記制御情報のパケットを複製不可の制御情報のパケットに置き換える処理を行う
ことを特徴とする信号処理装置。
【請求項６】  請求項１記載の信号処理装置において、
前記制御情報のパケットの置き換え若しくは削除を行う手段は、前記予め設定された情報との一致が判別され、且つ前記任意の他の設定に削除の設定がされていたときに、前記ストリーム中の前記制御情報のパケットを削除する処理を行う
ことを特徴とする信号処理装置。
【請求項７】  コンテンツ情報のパケットと共に制御情報のパケットが単一のストリームで入力され、
前記ストリーム中の制御情報のパケットから前記ストリームの属性情報を検出し、
前記検出された属性情報と予め設定された情報との一致を判別し、
前記設定された情報との一致が判別されたときに、任意の他の設定に従って、前記制御情報のパケットの置き換え若しくは削除を行う
ことを特徴とする信号処理方法。
【請求項８】  コンテンツ情報のパケットと共に制御情報のパケットが単一のストリームで入力される情報信号を記録する際に用いられる記録制限装置であって、
前記ストリーム中の前記制御情報のパケットから前記ストリームの属性情報を検出する手段と、
前記検出された属性情報と予め設定された情報との一致を判別する手段と、
前記設定された情報との一致が判別されたときに、任意の他の設定に従って、前記制御情報のパケットの置き換え若しくは削除を行う手段と
を備え、
前記制御情報のパケットの置き換え若しくは削除を行う手段は、複製可の前記制御情報のパケットを複製不可の制御情報のパケットに置き換える処理を行った後に記録手段に出力する
ことを特徴とする記録制限装置。
【請求項９】  請求項８記載の記録制限装置において、
前記制御情報のパケットの置き換え若しくは削除を行う手段は、前記予め設定された情報との一致が判別され、且つ前記任意の他の設定に置き換えの設定がされていたときに、予め記憶手段に記憶された任意のパケットを前記ストリームの入力された転送レートと等しい転送レートで出力して前記ストリーム中の前記制御情報のパケットと置き換える処理を行う
ことを特徴とする記録制限装置。
【請求項１０】  請求項９記載の記録制限装置において、
前記制御情報のパケットの置き換え若しくは削除を行う手段は、複数の前記予め設定された情報が設けられると共に、一の前記予め設定された情報に対しては１回のみの処理を行うものとする
ことを特徴とする記録制限装置。
【請求項１１】  請求項９記載の信記録制限装置において、
前記制御情報のパケットの置き換え若しくは削除を行う手段は、複数の前記任意のパケットを有すると共に、任意の優先順位に従って前記任意のパケットを出力して前記置き換えの処理を行う
ことを特徴とする記録制限装置。
【請求項１２】  請求項８記載の記録制限装置において、
前記制御情報のパケットの置き換え若しくは削除を行う手段は、前記予め設定された情報との一致が判別され、且つ前記任意の他の設定に削除の設定がされていたときに、前記ストリーム中の前記制御情報のパケットを削除する処理を行う
ことを特徴とする記録制限装置。
【請求項１３】  コンテンツ情報のパケットと共に制御情報のパケットが単一のストリームで入力される情報信号を記録する際に用いられる記録制限方法であって、
前記ストリーム中の前記制御情報のパケットから前記ストリームの属性情報を検出し、
前記検出された属性情報と予め設定された情報との一致を判別し、
前記設定された情報との一致が判別されたときに、任意の他の設定に従って、前記制御情報のパケットの置き換え若しくは削除を行うと共に、
前記制御情報のパケットの置き換え若しくは削除は、複製可の前記制御情報のパケットを複製不可の制御情報のパケットに置き換える処理を行った後に記録手段に出力する
ことを特徴とする記録制限方法。
【手続補正２】
【補正対象書類名】明細書
【補正対象項目名】００７５
【補正方法】削除
【補正の内容】
【手続補正３】
【補正対象書類名】明細書
【補正対象項目名】００７６
【補正方法】削除
【補正の内容】
【手続補正４】
【補正対象書類名】明細書
【補正対象項目名】００７７
【補正方法】削除
【補正の内容】
【手続補正５】
【補正対象書類名】明細書
【補正対象項目名】００７８
【補正方法】削除
【補正の内容】
【手続補正６】
【補正対象書類名】明細書
【補正対象項目名】００７９
【補正方法】削除
【補正の内容】
【手続補正７】
【補正対象書類名】明細書
【補正対象項目名】００８０
【補正方法】変更
【補正の内容】
【００８０】
さらに請求項８の発明によれば、ＰＭＴの位置を求めるためにＰＩＤを検出する回路を内蔵するようにしたことによって、例えば衛星放送受信機内部ではコピー可能でも、受信機外に出力する場合にはコピー不可にすることができ、さらにその際に内蔵ＣＰＵを使用せず、また、ＰＭＴを削除したことを示す信号を省くことにより、回路の簡略化を図ることができるものである。
【手続補正８】
【補正対象書類名】明細書
【補正対象項目名】００８１
【補正方法】変更
【補正の内容】
【００８１】
また、請求項９の発明によれば、制御情報のパケットの置き換え若しくは削除を行う手段は、予め設定された情報との一致が判別され、且つ任意の他の設定に置き換えの設定がされていたときに、予め記憶手段に記憶された任意のパケットをストリームの入力された転送レートと等しい転送レートで出力してストリーム中の制御情報のパケットと置き換える処理を行うことによって、良好にパケットの置き換えを行うことができるものである。
【手続補正９】
【補正対象書類名】明細書
【補正対象項目名】００８２
【補正方法】変更
【補正の内容】
【００８２】
請求項１０の発明によれば、制御情報のパケットの置き換え若しくは削除を行う手段は、複数の予め設定された情報が設けられると共に、一の予め設定された情報に対しては１回のみの処理を行うものとすることによって、円滑なパケットの置き換えを行うことができるものである。
【手続補正１０】
【補正対象書類名】明細書
【補正対象項目名】００８３
【補正方法】変更
【補正の内容】
【００８３】
請求項１１の発明によれば、制御情報のパケットの置き換え若しくは削除を行う手段は、複数の任意のパケットを有すると共に、任意の優先順位に従って任意のパケットを出力して置き換えの処理を行うことによって、複数のＴＳにまたがるパケットの処理についても良好にパケットの置き換えを行うことができるものである。
【手続補正１１】
【補正対象書類名】明細書
【補正対象項目名】００８４
【補正方法】変更
【補正の内容】
【００８４】
請求項１２の発明によれば、制御情報のパケットの置き換え若しくは削除を行う手段は、予め設定された情報との一致が判別され、且つ任意の他の設定に削除の設定がされていたときに、ストリーム中の制御情報のパケットを削除する処理を行うことによって、良好にパケットの削除を行うことができるものである。
【手続補正１２】
【補正対象書類名】明細書
【補正対象項目名】００８５
【補正方法】変更
【補正の内容】
【００８５】
さらに請求項１３の発明によれば、ＰＭＴの位置を求めるためにＰＩＤを検出する回路を内蔵するようにしたことによって、例えば衛星放送受信機内部ではコピー可能でも、受信機外に出力する場合にはコピー不可にすることができ、さらにその際に内蔵ＣＰＵを使用せず、また、ＰＭＴを削除したことを示す信号を省くことにより、回路の簡略化を図ることができるものである。
【手続補正１３】
【補正対象書類名】明細書
【補正対象項目名】００８６
【補正方法】削除
【補正の内容】
【手続補正１４】
【補正対象書類名】明細書
【補正対象項目名】００８７
【補正方法】削除
【補正の内容】
【手続補正１５】
【補正対象書類名】明細書
【補正対象項目名】００８８
【補正方法】削除
【補正の内容】
【手続補正１６】
【補正対象書類名】明細書
【補正対象項目名】００８９
【補正方法】削除
【補正の内容】